(57)【要約】【課題】昇降機のＢＩＭモデルに表示不良部が生じるのを抑制する。【解決手段】実施形態のＢＩＭシステムは、第１のＢＩＭパーツに対応する第２のＢＩＭパーツを含み第１のＢＩＭモデルに対応する昇降機の第２のＢＩＭモデルを作成する昇降機モデリング手段と、第２のＢＩＭモデルが、ＢＩＭモデル記憶手段に記憶されたＢＩＭモデルに組み込まれた状態の統合ＢＩＭモデル、を作成する統合モデリング手段と、を備える。複数の第１のＢＩＭパーツは、第１の構成パーツと、第２の構成パーツと、を含む。複数の第２のＢＩＭパーツは、ファイル形式が第１のファイル形式から第２のファイル形式に変換されることにより属性情報が削除された第１の構成パーツと、第２の構成パーツに対応し、色情報を含み第２の構成パーツに対して形状が簡素化され第１のファイル形式で表された対応パーツと、を含む。【選択図】図１
2020201604.tif 000002
【特許請求の範囲】
【請求項１】
制御部および記憶部を少なくとも備えたサーバ装置と、制御部、記憶部、および表示部を少なくとも備えた端末装置とが通信可能に接続されたＢＩＭシステムであって、
前記端末装置の前記記憶部は、
建築物のＢＩＭモデルを記憶するＢＩＭモデル記憶手段、
を備え、
前記サーバ装置の前記記憶部は、
前記ＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される作成条件に対応する複数の第１の前記ＢＩＭパーツを含んだ前記昇降機の第１のＢＩＭモデルを、前記パーツ情報記憶手段に記憶された前記パーツ情報を用いて作成するとともに、前記複数の第１のＢＩＭパーツに対応する複数の第２の前記ＢＩＭパーツを含み前記第１のＢＩＭモデルに対応する前記昇降機の第２のＢＩＭモデルを作成する昇降機モデリング手段と、
前記昇降機モデリング手段により作成された前記第２のＢＩＭモデルを前記端末装置に送信する送信手段と、
を備え、
前記端末装置の前記制御部は、
前記送信手段により送信された前記第２のＢＩＭモデルが、前記ＢＩＭモデル記憶手段に記憶された前記ＢＩＭモデルに組み込まれた状態の統合ＢＩＭモデル、を作成する統合モデリング手段と、
前記統合モデリング手段により作成された前記統合ＢＩＭモデルを前記表示部に表示させる表示制御手段と、
を備え、
前記複数の第１のＢＩＭパーツは、属性情報を有し第１のファイル形式で表された第１の構成パーツと、色情報を有し前記第１のファイル形式で表された第２の構成パーツと、を含み、
前記複数の第２のＢＩＭパーツは、ファイル形式が前記第１のファイル形式から第２のファイル形式に変換されることにより前記属性情報が削除された前記第１の構成パーツと、前記第２の構成パーツに対応し、前記色情報を含み前記第２の構成パーツに対して形状が簡素化され前記第１のファイル形式で表された対応パーツと、を含み、前記第１のファイル形式で表された、ＢＩＭシステム。
【請求項２】
前記複数の第２のＢＩＭパーツは、前記昇降機の２次元形状を示す２Ｄパーツを含む、請求項１に記載のＢＩＭシステム。
【請求項３】
前記第２のＢＩＭモデルは、当該第２のＢＩＭモデルの基準位置と前記建築物のＢＩＭモデルの基準位置との位置関係を示す位置関係情報を含む、請求項１または２に記載のＢＩＭシステム。
【請求項４】
前記統合モデリング手段は、前記位置関係情報に基づいて、前記送信手段により送信された前記第２のＢＩＭモデルを前記ＢＩＭモデル記憶手段に記憶された前記ＢＩＭモデルに組み込む、請求項３に記載のＢＩＭシステム。
【請求項５】
前記第２のＢＩＭモデルは、前記建築物のＢＩＭモデルの一部であって当該一部を変更した変更パーツを含む、請求項１〜４のうちいずれか一つに記載のＢＩＭシステム。
【請求項６】
前記統合モデリング手段は、前記送信手段により前記第２のＢＩＭモデルが送信されるごとに、前記統合ＢＩＭモデルに含まれる前記第２のＢＩＭモデルを直近に送信された前記第２のＢＩＭモデルに差し替える、請求項１〜５のうちいずれか一つに記載のＢＩＭシステム。
【請求項７】
前記昇降機モデリング手段は、前記建築物のＢＩＭモデルの少なくとも一部を作成する、請求項１〜６のうちいずれか一つに記載のＢＩＭシステム。
【請求項８】
前記端末装置は、前記建築物のＢＩＭモデルにおける前記建築物の躯体パーツを作成するための作成用情報を提供する作成用情報提供手段を備え、
前記昇降機モデリング手段は、前記作成用情報提供手段によって送信された前記作成用情報に基づいて前記ＢＩＭモデルに含まれる前記躯体パーツを作成する、請求項７に記載のＢＩＭシステム。
【請求項９】
前記昇降機モデリング手段は、前記作成用情報提供手段により前記作成用情報が提供されるごとに、直近に提供された前記作成用情報に基づいて前記躯体パーツを作成する、請求項８に記載のＢＩＭシステム。
【請求項１０】
制御部および記憶部を少なくとも備えたサーバ装置と、制御部、記憶部、および表示部を少なくとも備えた端末装置とが通信可能に接続されたＢＩＭシステムであって、
前記端末装置の前記記憶部は、
建築物のＢＩＭモデルを記憶するＢＩＭモデル記憶手段、
を備え、
前記サーバ装置の前記記憶部は、
前記ＢＩＭモデルに組込可能な昇降機のＢＩＭパーツを作成するためのパーツ情報を記憶するパーツ情報記憶手段、
を備え、
前記サーバ装置の前記制御部は、
前記端末装置から送信される作成条件に対応する複数の第１の前記ＢＩＭパーツを含んだ前記昇降機の第１のＢＩＭモデルを、前記パーツ情報記憶手段に記憶された前記パーツ情報を用いて作成するとともに、前記複数の第１のＢＩＭパーツに対応する複数の第２の前記ＢＩＭパーツを含み前記第１のＢＩＭモデルに対応する前記昇降機の第２のＢＩＭモデルを作成する昇降機モデリング手段と、
前記昇降機モデリング手段により作成された前記第２のＢＩＭモデルが、前記ＢＩＭモデル記憶手段に記憶された前記ＢＩＭモデルに組み込まれた状態の統合ＢＩＭモデル、を作成する統合モデリング手段と、
を備え、
前記サーバ装置の前記制御部または前記端末装置の前記制御部は、
前記統合モデリング手段により作成された前記統合ＢＩＭモデルを前記表示部に表示させる表示制御手段と、
を備え、
前記複数の第１のＢＩＭパーツは、属性情報を有し第１のファイル形式で表された第１の構成パーツと、色情報を有し前記第１のファイル形式で表された第２の構成パーツと、を含み、
前記複数の第２のＢＩＭパーツは、ファイル形式が前記第１のファイル形式から第２のファイル形式に変換されることにより前記属性情報が削除された前記第１の構成パーツと、前記第２の構成パーツに対応し、前記色情報を含み前記第２の構成パーツに対して形状が簡素化され前記第１のファイル形式で表された対応パーツと、を含み、前記第１のファイル形式で表された、ＢＩＭシステム。
【請求項１１】
制御部および記憶部を少なくとも備えたサーバ装置であって、
前記記憶部は、
建築物のＢＩＭモデルに組込可能な昇降機のＢＩＭパーツを作成するためのパーツ情報を記憶するパーツ情報記憶手段、
を備え、
前記制御部は、
作成条件に対応する複数の第１の前記ＢＩＭパーツを含んだ前記昇降機の第１のＢＩＭモデルを、前記パーツ情報記憶手段に記憶された前記パーツ情報を用いて作成するとともに、前記複数の第１のＢＩＭパーツに対応する複数の第２の前記ＢＩＭパーツを含み前記第１のＢＩＭモデルに対応する前記昇降機の第２のＢＩＭモデルを作成する昇降機モデリング手段、
を備え、
前記複数の第１のＢＩＭパーツは、属性情報を有し第１のファイル形式で表された第１の構成パーツと、色情報を有し前記第１のファイル形式で表された第２の構成パーツと、を含み、
前記複数の第２のＢＩＭパーツは、ファイル形式が前記第１のファイル形式から第２のファイル形式に変換されることにより前記属性情報が削除された前記第１の構成パーツと、前記第２の構成パーツに対応し、前記色情報を含み前記第２の構成パーツに対して形状が簡素化され前記第１のファイル形式で表された対応パーツと、を含み、前記第１のファイル形式で表された、サーバ装置。
【請求項１２】
制御部および記憶部を少なくとも備えたサーバ装置と、制御部、記憶部、および表示部を少なくとも備えた端末装置とが通信可能に接続されたＢＩＭシステムにおいて実行される方法であって、
前記端末装置の前記記憶部は、
建築物のＢＩＭモデルを記憶するＢＩＭモデル記憶手段、
を備え、
前記サーバ装置の前記記憶部は、
前記ＢＩＭモデルに組込可能な昇降機のＢＩＭパーツを作成するためのパーツ情報を記憶するパーツ情報記憶手段、
を備え、
前記サーバ装置の前記制御部が、
前記端末装置から送信される作成条件に対応する複数の第１の前記ＢＩＭパーツを含んだ前記昇降機の第１のＢＩＭモデルを、前記パーツ情報記憶手段に記憶された前記パーツ情報を用いて作成するとともに、前記複数の第１のＢＩＭパーツに対応する複数の第２の前記ＢＩＭパーツを含み前記第１のＢＩＭモデルに対応する前記昇降機の第２のＢＩＭモデルを作成する昇降機モデリングステップと、
前記昇降機モデリングステップにより作成された前記第２のＢＩＭモデルを前記端末装置に送信する送信ステップと、
を備え、
前記端末装置の前記制御部が、
前記送信ステップにより送信された前記第２のＢＩＭモデルが、前記ＢＩＭモデル記憶手段に記憶された前記ＢＩＭモデルに組み込まれた状態の統合ＢＩＭモデル、を作成する統合モデリングステップと、
前記統合モデリングステップにより作成された前記統合ＢＩＭモデルを前記表示部に表示させる表示制御ステップと、
を備え、
前記複数の第１のＢＩＭパーツは、属性情報を有し第１のファイル形式で表された第１の構成パーツと、色情報を有し前記第１のファイル形式で表された第２の構成パーツと、を含み、
前記複数の第２のＢＩＭパーツは、ファイル形式が前記第１のファイル形式から第２のファイル形式に変換されることにより前記属性情報が削除された前記第１の構成パーツと、前記第２の構成パーツに対応し、前記色情報を含み前記第２の構成パーツに対して形状が簡素化され前記第１のファイル形式で表された対応パーツと、を含み、前記第１のファイル形式で表された、方法。
【発明の詳細な説明】
【技術分野】
【０００１】
本発明の実施形態は、ＢＩＭシステム、サーバ装置、および方法に関する。
【背景技術】
【０００２】
近年、ＢＩＭシステムを利用することで、建築に関する作業やデータ管理の合理化や効率化が図られている。例えばＢＩＭシステムを利用する顧客側の設計者は、端末装置に作成条件を入力することで、当該作成条件に合致した昇降機に対応するＢＩＭパーツを含む昇降機のＢＩＭモデルを昇降機メーカのサーバから得ることができる。
【先行技術文献】
【特許文献】
【０００３】
【特許文献１】特開２０１４−１２３２３４号公報
【発明の概要】
【発明が解決しようとする課題】
【０００４】
従来のＢＩＭシステムでは、サーバは、昇降機のＢＩＭモデルに含まれる社外秘などの属性情報を削除してから、昇降機のＢＩＭモデルを端末装置に送信する。属性情報は、ＢＩＭモデルのファイル形式を所定の形式に変換することにより削除される。しかしながら、ＢＩＭモデルのファイル形式を所定のファイル形式に変換すると、属性情報の他に色情報などのＢＩＭモデルの表示に必要な情報までも削除されてしまう。この結果、端末で表示される昇降機のＢＩＭモデルに表示不良部（見栄え不良部）が生じてしまう場合がある（図１３参照）。
【課題を解決するための手段】
【０００５】
実施形態のＢＩＭシステムは、サーバ装置と、端末装置と、が通信可能に接続されている。前記サーバ装置は、制御部および記憶部を少なくとも備える。前記端末装置は、制御部、記憶部、および表示部を少なくとも備える。前記端末装置の前記記憶部は、建築物のＢＩＭモデルを記憶するＢＩＭモデル記憶手段を備える。前記サーバ装置の前記記憶部は、前記ＢＩＭモデルに組込可能な昇降機のＢＩＭパーツを作成するためのパーツ情報を記憶するパーツ情報記憶手段を備える。サーバ装置の前記制御部は、前記端末装置から送信される作成条件に対応する複数の第１の前記ＢＩＭパーツを含んだ前記昇降機の第１のＢＩＭモデルを、前記パーツ情報記憶手段に記憶された前記パーツ情報を用いて作成するとともに、前記複数の第１のＢＩＭパーツに対応する複数の第２の前記ＢＩＭパーツを含み前記第１のＢＩＭモデルに対応する前記昇降機の第２のＢＩＭモデルを作成する昇降機モデリング手段と、前記昇降機モデリング手段により作成された前記第２のＢＩＭモデルを前記端末装置に送信する送信手段と、を備える。前記端末装置の前記制御部は、前記送信手段により送信された前記第２のＢＩＭモデルが、前記ＢＩＭモデル記憶手段に記憶された前記ＢＩＭモデルに組み込まれた状態の統合ＢＩＭモデル、を作成する統合モデリング手段と、前記統合モデリング手段により作成された前記統合ＢＩＭモデルを前記表示部に表示させる表示制御手段と、を備える。前記複数の第１のＢＩＭパーツは、属性情報を有し第１のファイル形式で表された第１の構成パーツと、色情報を有し前記第１のファイル形式で表された第２の構成パーツと、を含む。前記複数の第２のＢＩＭパーツは、ファイル形式が前記第１のファイル形式から第２のファイル形式に変換されることにより前記属性情報が削除された前記第１の構成パーツと、前記第２の構成パーツに対応し、前記色情報を含み前記第２の構成パーツに対して形状が簡素化され前記第１のファイル形式で表された対応パーツと、を含み、前記第１のファイル形式で表される。
【図面の簡単な説明】
【０００６】
【図１】図１は、第１の実施形態に係るＢＩＭシステムの構成の一例を示す例示的なブロック図である。
【図２】図２は、第１の実施形態のＢＩＭモデルの具体例を示す例示的な分解斜視図である。
【図３】図３は、第１の実施形態の社内用ＢＩＭモデルの具体例を示す例示的な図である。
【図４】図４は、第１の実施形態の社内用ＢＩＭモデルの第２の構成パーツの具体例を示す例示的な図である。
【図５】図５は、第１の実施形態の社内用ＢＩＭモデルの２Ｄパーツの具体例を示す例示的な図である。
【図６】図６は、第１の実施形態の社内用ＢＩＭモデルの属性の一例を説明するための図である。
【図７】図７は、第１の実施形態の社外用ＢＩＭモデルの具体例を示す例示的な図である。
【図８】図８は、第１の実施形態の社外用ＢＩＭモデルの第２の構成パーツの具体例を示す例示的な図である。
【図９】図９は、第１の実施形態の社外用ＢＩＭモデルの２Ｄパーツの具体例を示す例示的な図である。
【図１０】図１０は、第１の実施形態の社外用ＢＩＭパーツの属性の一例を説明するための図である。
【図１１】図１１は、第１の実施形態の対応パーツの具体例を示す例示的な図であって、対応パーツが端末装置の表示部に表示された状態を示す図である。
【図１２】図１２は、比較例の対応パーツの具体例を示す例示的な図であって、対応パーツが端末装置の表示部に表示された状態を示す図である。
【図１３】図１３は、第１の実施形態の社外用ＢＩＭモデルの基準位置情報を説明するための図である。
【図１４】図１４は、第１の実施形態の統合ＢＩＭモデルの具体例を示す例示的な図である。
【図１５】図１５は、第１の実施形態のＢＩＭシステムにおいて実行される処理の具体例を示した例示的なフローチャートである。
【図１６】図１６は、第１の実施形態の躯体パーツを含む社外用ＢＩＭモデルの具体例を示す例示的な図である。
【図１７】図１７は、第１の実施形態のＢＩＭシステムのデータの流れを説明するための説明図である。
【図１８】図１８は、第１の実施形態の躯体パーツの属性情報を説明するための図である。
【図１９】図１９は、第２の実施形態に係るＢＩＭシステムの構成を示した例示的なブロック図である。
【発明を実施するための形態】
【０００７】
以下、実施形態に係るＢＩＭシステムおよび方法を図面に基づいて説明する。なお、本明細書において、実施形態に係る構成要素および当該要素の説明が、複数の表現で記載されることがある。構成要素およびその説明は、本明細書の表現によって限定されない。構成要素は、本明細書におけるものとは異なる名称で特定され得る。また、構成要素は、本明細書の表現とは異なる表現によって説明され得る。
【０００８】
ＢＩＭによる設計方法では、各業者にて建物全体のデータである建築物の３次元モデル（すなわち、建築物のＢＩＭモデル）を共有することができる。このため、各業者は、共通のデータ上でそれらの関連性および整合性を確認することができる。以下では、このＢＩＭを使用した昇降機客先提案システムについて説明する。
【０００９】
以下、実施形態の構成および処理について、第１の実施形態（機能分散型のＢＩＭシステム）、第２の実施形態（サーバ主導の機能分散型のＢＩＭシステム）の順に、詳細に説明する。なお、以下では、原則として、単に「パーツ」と称する場合は建築物を構成する現実の構成部品を指し、「ＢＩＭパーツ」と称する場合はパーツに対応するＢＩＭの仮想的な構成部品を指すものとする。しかしながら、説明の便宜上、「パーツ」が「ＢＩＭパーツ」を指す場合や、「ＢＩＭパーツ」が「パーツ」を指す場合もあるものとする。
【００１０】
（第１の実施形態）
以下に、第１の実施形態について、図１ないし図１８を参照して説明する。図１は、第１の実施形態に係るＢＩＭシステム１の構成の一例を示した例示的なブロック図である。なお、第１の実施形態において実現される各機能モジュールは、以下で例示する構成に限られず、同様の効果や機能を奏し得る範囲において、任意の単位で、論理的または物理的に分散または統合して構成され得る。また、第１の実施形態において実現される各機能モジュールは、ソフトウェアとハードウェアとの協働により実現されても良いし、ハードウェアのみによって実現されても良い。
【００１１】
図１に示すように、第１の実施形態のＢＩＭシステム１は、昇降機の３次元モデル（すなわち、昇降機のＢＩＭパーツ）などの情報を提供可能なサーバ装置２００と、単数または複数のＢＩＭアプリケーションなどが搭載された端末装置１００と、を備える。サーバ装置２００は、昇降機メーカに設置され、端末装置１００は、昇降機メーカの顧客の会社に設置される。
【００１２】
サーバ装置２００は、制御部２０２と、記憶部２０６と、を少なくとも備える。また、端末装置１００は、出力部としての表示部１１４および音声出力部１１６と、入力部１１８と、制御部１０２と、記憶部１０６と、を少なくとも備える。
【００１３】
まず、サーバ装置２００の構成についてより具体的に説明する。サーバ装置２００は、端末装置１００から送信される作成条件に対応する建築物のＢＩＭモデルに組込可能な昇降機のＢＩＭパーツを、記憶部２０６に記憶されたパーツ情報を用いて作成する機能を有する。また、サーバ装置２００は、作成されたＢＩＭパーツを端末装置１００へ送信するなどの機能を有する。
【００１４】
サーバ装置２００は、通信制御インターフェース部２０４を介してネットワーク９００に接続されており、端末装置１００は、通信制御インターフェース部１０４を介してネットワーク９００に接続されている。これにより、サーバ装置２００と端末装置１００とは、ネットワーク９００経由で相互に通信可能に接続されている。なお、ここで行われる通信は、有線または無線による遠隔通信などを含む。
【００１５】
サーバ装置２００の制御部２０２は、各種の演算処理などを実行する制御手段である。また、サーバ装置２００の通信制御インターフェース部２０４は、通信回線や電話回線などに接続されるアンテナやルータなどの通信装置に接続可能なインターフェースであり、サーバ装置２００とネットワーク９００との間で実行される通信の制御を行う機能を有する。すなわち、通信制御インターフェース部２０４は、ネットワーク９００に接続された装置（図１の例では、端末装置１００）とデータ通信を行う機能を有する。
【００１６】
また、サーバ装置２００の記憶部２０６は、ＨＤＤ（Ｈａｒｄ  Ｄｉｓｋ  Ｄｒｉｖｅ）などの固定ディスク装置またはＳＳＤ（Ｓｏｌｉｄ  Ｓｔａｔｅ  Ｄｒｉｖｅ）などのストレージ手段であり、データベースやテーブルなどの各種情報（図１の例では、パーツ情報データベース２０６ａ）を格納する。
【００１７】
パーツ情報データベース２０６ａは、建築物のＢＩＭモデルに組込可能な昇降機のＢＩＭパーツを作成するためのパーツ情報を記憶するパーツ情報記憶手段である。なお、ここで言及する昇降機は、エレベータおよび乗客コンベアを含む概念であり、乗客コンベアは、エスカレータおよび動く歩道を含む。また、ここで言及するパーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種などといった昇降機の仕様や、昇降機を建築物に設置する際に必要とされるスペース、寸法、各種付属設備、各種配線配管に関する情報が挙げられる。さらに、パーツ情報としては、例えば、昇降機を構成する機械部品や昇降機の周りに配置される鉄骨部品の、部材強度、価格、寸法、質量、色、素材、材料、固有振動数といった情報の他、納期、在庫状況、据付時間、仕上げ材、耐用年数、メーカ情報、品番型番などが挙げられるが、これら以外の情報も、パーツ情報に含まれ得る。
【００１８】
より具体的に、第１の実施形態のパーツ情報は、例えば、端末装置１００の制御部１０２によりＢＩＭパーツをＢＩＭモデルに組み込む際に参照されるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、昇降機がエレベータである場合には、昇降路、乗りかご、カウンタウェイト、メインロープ、巻上機、ガイドレール、乗り場ホール関連品、機械室、制御盤、電源設備、各種配線配管などが挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管などが挙げられる。また、パーツ情報は、例えば、端末装置１００の制御部１０２によりＢＩＭパーツが変更される際に用いられる設定パラメータを含む。ここで、設定パラメータは、ＢＩＭパーツを構成する各ユニットのサイズ、色、材質や、上記の各種配線配管などを規定するパラメータを含む。また、パーツ情報は、予め利用者により指定された点検対象物であることを示す情報も含む。ここで、ＢＩＭパーツは、典型的なＢＩＭモデルと同様に、このＢＩＭパーツ自体に対象の昇降機に関連するパーツ情報などの属性情報を含んでいる。属性情報は、例えば、巻上機の形式、巻上機のサイズ、昇降機に設定された乗員人数、昇降機の機種、昇降機メーカなどを含む。また、属性情報は、例えば、社外秘情報と、非社外秘情報とを含む。社外秘情報は、例えば、巻上機の形式、巻上機のサイズなどであり、非社外秘情報は、例えば、昇降機に設定された乗員人数、昇降機の機種、昇降機メーカなどである。社外秘の情報は、社内機密情報とも称される。なお、属性情報は、上記に限定されない。
【００１９】
次に、サーバ装置２００の制御部２０２についてより具体的に説明する。サーバ装置２００の制御部２０２は、ＯＳ（Ｏｐｅｒａｔｉｎｇ  Ｓｙｓｔｅｍ）などの制御プログラムや、各種の処理手順などを規定したプログラム、所要データを格納するための内部メモリなどを有する。そして、制御部２０２は、これらのプログラムなどを用いて、各種の演算処理などを実行する。
【００２０】
作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件としては、例えば、機種、色、素材、希望の価格、納期、利用者の嗜好性などが挙げられる。作成条件は、基本的に客先仕様条件を満たした仕様を備えている。
【００２１】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。また、昇降機モデリング部２０２ｂは、昇降機の複数のＢＩＭパーツをまとめて昇降機のＢＩＭモデルを作成する。昇降機モデリング部２０２ｂは、例えば、エレベータに関する次のような３次元のＢＩＭパーツおよびＢＩＭモデルを作成する。
【００２２】
図２は、第１の実施形態のＢＩＭモデルの具体例を示した例示的な分解斜視図である。図２には、複数のＢＩＭパーツ３０１を含むＢＩＭモデル３００が示されている。図２の左側に、昇降路、乗りかご、ガイドレールなどのユニットから構成されるＢＩＭパーツ３０１が例示される。図２の右側に、乗り場ホーム関連品の一例としての乗降口のドアユニットなどから構成されるＢＩＭパーツ３０１が例示される。
【００２３】
昇降機モデリング部２０２ｂは、例えば、作成条件受信部２０２ａにより受信される作成条件としてのＢＩＭモデル３００の構造情報などに基づいて、建築物の概要、規模、設置位置、電源設備容量などから当該建築物に設置可能な昇降機のＢＩＭパーツ３０１を単数または複数作成する。ここで、昇降機モデリング部２０２ｂは、作成条件が納期、価格、または嗜好性に関する情報を含む場合、当該情報に応じてＢＩＭパーツ３０１を最適化して作成するようにしても良い。例えば、昇降機モデリング部２０２ｂは、利用者によって昇降機の設置に際し納期優先の選択がなされている場合には、設置可能な昇降機のＢＩＭパーツ３０１のうち納期が早いものから順に自動で複数作成するようにしても良い。同様に、昇降機モデリング部２０２ｂは、利用者によって価格優先の選択がなされている場合には、設置可能な複数の昇降機のＢＩＭパーツ３０１のうち価格が安いものから順に自動で複数作成するようにしても良い。昇降機モデリング部２０２ｂは、利用者によって利用者の嗜好性が設定されている場合には、設置可能な複数の昇降機のＢＩＭパーツ３０１のうち嗜好性にあったものから順に自動で複数作成するようにしても良い。作成されるＢＩＭパーツ３０１（ＢＩＭモデル３００）は、基本的に客先仕様条件を満たした仕様を備える。なお、昇降機モデリング部２０２ｂは、作成した昇降機のＢＩＭパーツ（ＢＩＭモデル３００）を記憶部２０６に格納し、ＢＩＭパーツデータベースを構築しても良い。
【００２４】
昇降機のＢＩＭモデル３００についてより詳細に説明する。ＢＩＭモデル３００には、社内用ＢＩＭモデルと社外用ＢＩＭモデルとがある。社外用ＢＩＭモデルは、社外用ＢＩＭモデルから一部の情報や一部の形状を削除したものである。社外用ＢＩＭモデルは、第１のＢＩＭモデルの一例であり、社外用ＢＩＭモデルは、第２のＢＩＭモデルの一例である。
【００２５】
図３は、第１の実施形態の社内用ＢＩＭモデルの具体例を示す例示的な図である。図４は、第１の実施形態の社内用ＢＩＭモデルの第２の構成パーツの具体例を示す例示的な図である。図５は、第１の実施形態の社内用ＢＩＭモデルの２Ｄパーツの具体例を示す例示的な図である。図６は、第１の実施形態の社内用ＢＩＭモデルの属性の一例を説明するための図である。
【００２６】
図３に示される社内用ＢＩＭモデル３００Ａは、複数のＢＩＭパーツ３０１として複数の社内用ＢＩＭパーツ３０１Ａを有する。複数の社内用ＢＩＭパーツ３０１Ａは、第１の構成パーツ３０１Ａａと、複数の第２の構成パーツ３０１Ａｂと、２Ｄパーツ３０１Ａｃと、を含む。第１の構成パーツ３０１Ａａは、例えば、巻上機、乗りかご、レールなどを含みこれら巻上機、乗りかご、レールなどの３次元形状を示す。第２の構成パーツ３０１Ａｂは、例えば、扉などを含み当扉などの３次元形状を示す扉パーツ３０１Ａｂａと、操作部などを含み当該操作部などの３次元形状を示す操作部パーツ３０１Ａｂｂと、を含む。２Ｄパーツ３０１Ａｃは、昇降機の２次元形状を示す。具体的には、２Ｄパーツ３０１Ａｃは、第１の構成パーツおよび第２の構成パーツの底面視での２次元形状を示す。社内用ＢＩＭモデル３００Ａは、第１のファイル形式で表されている。換言すると社内用ＢＩＭモデル３００Ａは、第１のファイル形式で記述されている。第１のファイル形式は、例えば拡張子が「．ｒｆａ」のファイル形式である。また、第１のファイル形式は、例えば、ＢＩＭモデルデータベース１０６ａに記憶されたＢＩＭモデルのファイル形式と同じである。
【００２７】
第２の構成パーツ３０１Ａｂは、色情報およびマテリアル情報を含む。また、第２の構成パーツ３０１Ａｂは、当該第２の構成パーツ３０１Ａｂと対応する実際の部品の詳細構造を含む。例えば、図４に示すように、第２の構成パーツ３０１Ａｂは、ブラケット３０２を含む。
【００２８】
図５に示すように２Ｄパーツ３０１Ａｃは、社外秘情報３０３を含む。社外情報１０３は、例えば、寸法に関する情報である。寸法に関する情報は、寸法線、中央線、基準線、寸法値などを含む。社外秘情報３０３は、属性情報である。
【００２９】
図６に示すように、社内用ＢＩＭモデル３００Ａには、属性情報６０が付与されている。属性情報は、上述した社外秘情報および非社外秘情報を含む複数の情報を含む。この属性情報は、第１の構成パーツ３０１Ａａと複数の第２の構成パーツ３０１Ａｂとのうち少なくとも第１の構成パーツ３０１Ａａに付与されている。なお、本実施形態では、例えば、第１の構成パーツ３０１Ａａと複数の第２の構成パーツ３０１Ａｂとの両方に属性情報６０が付与されている。
【００３０】
図７は、第１の実施形態の社外用ＢＩＭモデルの具体例を示す例示的な図である。図８は、第１の実施形態の社外用ＢＩＭモデルの第２の構成パーツの具体例を示す例示的な図である。図９は、第１の実施形態の社外用ＢＩＭモデルの２Ｄパーツの具体例を示す例示的な図である。図１０は、第１の実施形態の社外用ＢＩＭパーツの属性の一例を説明するための図である。
【００３１】
図７に示される社内用ＢＩＭモデル３００Ｂは、複数のＢＩＭパーツ３０１として複数の社外用ＢＩＭパーツ３０１Ｂを有する。複数の社外用ＢＩＭパーツ３０１Ｂは、第１の構成パーツ３０１Ｂａと、複数の対応１０１Ｂｂと、２Ｄパーツ３０１Ｂｃと、を含む。
【００３２】
第１の構成パーツ３０１Ｂａは、社内用ＢＩＭモデル３００Ａの第１の構成パーツ３０１Ａａに対応する。すなわち、第１の構成パーツ３０１Ｂａは、例えば、巻上機、乗りかご、レールなどを含みこれら巻上機、乗りかご、レールなどの３次元形状を示す。第１の構成パーツ３０１Ｂａは、第１の構成１０１Ａａのファイル形式を第１のファイル形式（拡張子が「．ｒｆａ」のファイル形式）から第２のファイル形式に変換することにより作成される。第２のファイル形式は、例えば、拡張子が「．ｓａｔ」のファイル形式である。このファイル形式の変換によって、第１の構成１０１Ａａに付与された属性情報６０が削除された第１の構成パーツ３０１Ｂａが得られる。すなわち、第１の構成パーツ３０１Ｂａには、属性情報が付与されていない。
【００３３】
対応パーツ３０１Ｂｂは、社内用ＢＩＭモデル３００Ａの第２の構成パーツ３０１Ａｂに対応する。すなわち、対応パーツ３０１Ｂｂは、例えば、扉などを含み当扉などの３次元形状を示す扉パーツ３０１Ｂｂａと、操作部などを含み当該操作部などの３次元形状を示す操作部パーツ３０１Ｂｂｂと、を含む。
【００３４】
対応パーツ３０１Ｂｂは、色情報およびマテリアル情報を含み第１のファイル形式で表されている点は第２の構成パーツ３０１Ａｂと同じであるが、第２の構成パーツ３０１Ａｂに対して形状が簡素化されている点が第２の構成パーツ３０１Ａｂに対して異なる。例えば、図８に示すように、対応パーツ３０１Ｂｂは、第２の構成パーツ３０１Ａｂに含まれるブラケット３０２を含まない。なお、対応パーツ３０１Ｂｂの第２の構成パーツ３０１Ａｂに対して形状が簡素化されている点は、例えば部材の湾曲部（Ｒ部）が直角に変更された点などであってもよい。また、対応パーツ３０１Ｂｂは、当該対応パーツ３０１Ｂｂに対応する第２の構成パーツ３０１Ａｂに社外秘情報がある場合でも、当該社外秘情報を含まない。すなわち、対応パーツ３０１Ｂｂの属性情報は、当該対応パーツ３０１Ｂｂに対応する第２の構成パーツ３０１Ａｂの属性情報と同じか、当該対応パーツ３０１Ｂｂに対応する第２の構成パーツ３０１Ａｂの属性情報よりも情報量が少ない。ここで、対応パーツ３０１Ｂｂを形成するためのパーツ情報と、第２の構成パーツ３０１Ａｂを形成するためのパーツ情報とは、パーツ情報データベース２０６ａに互いに関連付けされて記憶されている。
【００３５】
２Ｄパーツ３０１Ｂｃは、昇降機の２次元形状を示す。具体的には、第１の構成パーツ３０１Ｂａおよび対応パーツ３０１Ｂｂの底面視での２次元形状を示す。２Ｄ１０１Ｂｃは、例えば、第３のファイル形式で表されている。第３のファイル形式は、例えば、拡張子が「．ｄｗｇ」である。２Ｄパーツ３０１Ｂｃは、社内用ＢＩＭモデル３００Ａの２Ｄパーツ３０１Ａｃのファイル形式を第１のファイル形式（拡張子が「．ｒｆｃ」のファイル形式）から第３のファイル形式に変換することにより作成される。このファイル形式の変換によって、図９に示すように、２Ｄパーツ３０１Ｂｃに付与された属性情報が削除された２Ｄパーツ３０１Ｂｃが得られる。すなわち、２Ｄパーツ３０１Ｂｃには、属性情報が付与されていない。
【００３６】
昇降機モデリング部２０２ｂは、以上のようにして作成した複数の社外用ＢＩＭパーツ３０１Ｂ（第１の構成パーツ３０１Ｂａと、複数の対応１０１Ｂｂと、２Ｄパーツ３０１Ｂｃ）をまとめて（統合して）、社外用ＢＩＭモデル３００Ｂとする。このとき、昇降機モデリング部２０２ｂは、第１の構成パーツ３０１Ｂａおよび２Ｄパーツ３０１Ｂｃのファイル形式を、対応１０１Ｂｂのファイル形式である第１のファイル形式に変換する。すなわち、社外用ＢＩＭモデル３００Ｂのファイル形式は、第１のファイル形式である。また、昇降機モデリング部２０２ｂは、社外用ＢＩＭモデル３００Ｂに属性情報を含ませる（統合する）。当該属性情報は、非社外秘情報であって、例えば、顧客に知らせたい情報である。顧客に知らせたい情報は、例えば、昇降機に設定された乗員人数、昇降機の機種、昇降機メーカなどである。図１０に示すように、社外用ＢＩＭモデル３００Ｂの属性情報１６０の項目１６１（情報）は、社内用ＢＩＭモデル３００Ａの属性情報（図６参照）よりも少ない。これは、社外用ＢＩＭモデル３００Ｂの属性情報１６０には、社外秘情報が含まれないからである。
【００３７】
ここで、図１１に、対応パーツ３０１Ｂｂが端末装置１００の表示部１１４に表示された状態を示し、図１２に比較例の社外用ＢＩＭモデル３１００Ｂの対応パーツ３１０１Ｂｂが端末装置１００の表示部１１４に表示された状態を示す。比較例の対応パーツ３１０１Ｂｂは、社内用ＢＩＭモデル３００Ａ（第２の構成パーツ３０１Ａｂ）を第４のファイル形式に変換して作成されたものである。この変換により、社内用ＢＩＭモデル３００Ａ（第２の構成パーツ３０１Ａｂ）に付与されている属性情報が削除された比較例の社外用ＢＩＭモデル３１００Ｃ（対応パーツ３１０１Ｂｂ）が得られる。第４のファイル形式は、例えば、拡張子が「．ｉｆｃ」のファイル形式である。図１１および図１２から分かるように、比較例の対応パーツ３１０１Ｂｂには表示不良部３３００が有るが、本実施形態の対応パーツ３０１Ｂｂには表示不良部３３００は無い。
【００３８】
また、昇降機モデリング部２０２ｂは、社外用ＢＩＭモデル３００Ｂに位置関係情報を付与する。位置関係情報は、社外用ＢＩＭモデル３００Ｂの基準位置と建築物のＢＩＭモデルの基準位置との位置関係を示す情報である。ここで、図１３は、第１の実施形態の社外用ＢＩＭパーツの基準位置情報を説明するための図である。図１３に示すように、位置関係情報は、建築物のＢＩＭモデルの座標系における社外用ＢＩＭモデル３００Ｂの基準位置である基準座標を含む。図１３の例では、建築物のＢＩＭモデルの基準座標は、社外用ＢＩＭモデル３００Ｂの基準位置である基準座標と離間している。
【００３９】
図１に戻り、情報送信部２０２ｃは、昇降機モデリング部２０２ｂにより作成された昇降機の社外用ＢＩＭモデル３００Ｂを端末装置１００へ送信する送信手段である。ここで、情報送信部２０２ｃは、複数の社外用ＢＩＭモデル３００Ｂを含む計算結果を端末装置１００へ送信しても良い。
【００４０】
次に、端末装置１００の構成についてより具体的に説明する。端末装置１００は、サーバ装置２００から受信された昇降機の社外用ＢＩＭモデル３００Ｂを、端末装置１００の記憶部１０６に記憶された建築物のＢＩＭモデルに組み込んだ状態の昇降機組込建築物に対応する統合ＢＩＭモデルを作成する機能を有する。
【００４１】
端末装置１００は、例えば、パーソナルコンピュータなどの一般的な情報処理装置や、スマートフォンなどの携帯端末装置などである。なお、端末装置１００は、表示部１１４と音声出力部１１６とを少なくとも含む出力部を備えていても良いし、利用者の操作入力などを受け付ける入力部１１８を備えていても良い。
【００４２】
表示部１１４は、アプリケーションなどにより生成される表示画面を表示する表示手段（例えば、液晶または有機ＥＬなどから構成されるディスプレイ、モニタ、および、タッチパネルなど）である。また、音声出力部１１６は、音声を出力する音声出力手段（例えば、スピーカなど）である。また、入力部１１８は、例えば、キー入力部、タッチパネル、コントロールパッド（例えば、タッチパッド、および、ゲームパッドなど）、マウス、キーボード、および、マイクなどである。これら表示部１１４、音声出力部１１６、および入力部１１８に対する入出力は、端末装置１００の入出力制御インターフェース部１０８によって制御される。
【００４３】
端末装置１００の通信制御インターフェース部１０４は、通信回線や電話回線などに接続されるアンテナやルータなどの通信装置に接続可能なインターフェースであり、端末装置１００とネットワーク９００との間で実行される通信の制御を行う機能を有する。すなわち、通信制御インターフェース部１０４は、ネットワーク９００に接続された装置（図１の例では、サーバ装置２００）とデータ通信を行う機能を有する。
【００４４】
また、端末装置１００の記憶部１０６は、ＨＤＤやＳＳＤなどの大容量のストレージ手段、および／または、ＳＲＡＭ（Ｓｔａｔｉｃ  Ｒａｎｄｏｍ  Ａｃｃｅｓｓ  Ｍｅｍｏｒｙ）などを用いて構成される小容量高速メモリ（例えば、キャッシュメモリ）などのストレージ手段である。記憶部１０６は、データベースやファイルやテーブルなどの各種情報（図１の例では、ＢＩＭモデルデータベース１０６ａ）を格納する。
【００４５】
ＢＩＭモデルデータベース１０６ａは、建築物のＢＩＭモデルを記憶するＢＩＭモデル記憶手段である。第１の実施形態におけるＢＩＭモデルデータベース１０６ａには、予め設計者により設計された建築物のＢＩＭモデルが格納されている。ＢＩＭモデルは、例えば、建物形状、空間関係、地理情報、建物部材の数量や特性、部材強度、固有振動数、耐用年数、各種付属設備、各種配線配管などの構造情報を含む。構造情報は、建物用途、建物規模、躯体情報、階床数、階床名、階高、各階の使用用途、フロア人員、占有面積などから算出可能な昇降機の利用人数などの情報を含んでいても良いし、対象の建築物を構成する各構造ユニットに関する寸法、位置などを示す情報を含んでいても良い。ここで、ＢＩＭモデルを構成する各構造ユニットとしては、例えば、建築物に配置される部屋、壁、通路、非常階段、避難経路、ガス管、水道管、火災報知機、スプリンクラー、梁、防犯カメラ、安全対策品などが挙げられる。
【００４６】
次に、端末装置１００の制御部１０２について、より具体的に説明する。端末装置１００の制御部１０２は、ＯＳなどの制御プログラムや、各種の処理手順などを規定したプログラム、所要データを格納するための内部メモリなどを有する。そして、制御部１０２は、これらのプログラムなどを用いて、各種の演算処理などを実行する。
【００４７】
ここで、第１の実施形態における端末装置１００の制御部１０２は、機能モジュールとして、作成条件送信部１０２ａと、統合モデリング部１０２ｂと、表示制御部１０２ｃと、作成用情報提供部１０２ｄと、を備える。
【００４８】
作成条件送信部１０２ａは、利用者により入力される作成条件をサーバ装置２００へ送信する作成条件送信手段である。前述したように、作成条件は、利用者が所望する昇降機の仕様と、客先要求の仕様と、を示す条件などである。つまり、利用者は、入力部１１８などを用いて作成条件を入力することで、建築物のＢＩＭモデルに組込可能な昇降機のＢＩＭパーツ３０１を作成するための条件を指定する。なお、作成条件は、予め作成条件が記憶された外部記憶装置から読み込まれたものであっても良い。
【００４９】
また、統合モデリング部１０２ｂは、サーバ装置２００から受信した昇降機の社外用ＢＩＭモデル３００Ｂを、ＢＩＭモデルデータベース１０６ａに記憶された建築物のＢＩＭモデルに組み込んだ状態の統合ＢＩＭモデルを作成する統合モデリング手段である。統合モデリング部１０２ｂは、例えば、次のような統合ＢＩＭモデルを作成する。
【００５０】
図１４は、第１の実施形態の統合ＢＩＭモデルの具体例を示す例示的な図である。図１４に示される統合ＢＩＭモデル５００は、建築物のＢＩＭモデル４００に、図７に例示されたような社外用ＢＩＭパーツ３０１Ｂが組み込まれており、社外用ＢＩＭパーツ３０１Ｂに対応するエレベータが設置された昇降機組込建築物の完成像（３次元像）を示している。
【００５１】
端末装置１００の表示制御部１０２ｃは、統合ＢＩＭモデル５００を表示部１１４に表示させる表示制御手段である。表示制御部１０２ｃは、建築物のＢＩＭモデル４００と、社外用ＢＩＭパーツ３０１Ｂとのうち一方だけを表示することができる。
【００５２】
次に、第１の実施形態のＢＩＭシステム１の動作について説明する。図１５は、第１の実施形態のＢＩＭシステム１において実行される処理の具体例を示した例示的なフローチャートである。
【００５３】
図１５に示すように、第１の実施形態では、まず、端末装置１００が、ＢＩＭパーツの作成条件をサーバ装置２００に送信する（Ｓ１）。そして、サーバ装置２００は、Ｓ１で端末装置１００により送信された作成条件を受信する（Ｓ２）。
【００５４】
サーバ装置２００は、パーツ情報データベース２０６ａに記憶されたパーツ情報を用いて、Ｓ２で受信された作成条件に対応するＢＩＭパーツを含む社内用ＢＩＭモデル３００Ａを作成し（Ｓ３）、Ｓ２で受信された作成条件に対応するＢＩＭパーツを含む社外用ＢＩＭモデル３００Ｂを作成する（Ｓ４）。そして、サーバ装置２００は、Ｓ４で作成した社外用ＢＩＭモデル３００Ｂを端末装置１００に送信する（Ｓ５）。
【００５５】
端末装置１００は、Ｓ５でサーバ装置２００により送信された社外用ＢＩＭモデルを受信する（Ｓ６）。そして、端末装置１００は、Ｓ６で受信された社外用ＢＩＭモデルを、ＢＩＭモデルデータベース１０６ａに記憶された建築物のＢＩＭモデル４００に組み込み、統合ＢＩＭモデル５００を作成する（Ｓ７）。そして、端末装置１００は、Ｓ７で作成された統合ＢＩＭモデル５００を表示部１１４に表示する。
【００５６】
ここで、上記の処理は繰り返し行われうる。すなわち、作成条件が変更されるごとに上記の処理が行われる。このとき、統合モデリング部１０２ｂは、情報送信部２０２ｃにより社外用ＢＩＭモデル３００Ｂが送信されるごとに、統合ＢＩＭモデル５００に含まれる社外用ＢＩＭモデル３００Ｂを直近に送信された社外用ＢＩＭモデル３００Ｂに差し替える。
【００５７】
次に、ＢＩＭシステム１が有する他の機能について図１６および図１７を用いて説明する。図１６は、第１の実施形態の躯体パーツを含む社外用ＢＩＭモデルの具体例を示す例示的な図である。図１７は、第１の実施形態のＢＩＭシステムのデータの流れを説明するための説明図である。
【００５８】
図１６に示すように、サーバ装置２００の昇降機モデリング部２０２ｂは、社外用ＢＩＭ３００Ｂに、建築物のＢＩＭモデル４００の一部であって当該一部を変更した変更パーツ６００を含ませることができる。図１６では、建築物のＢＩＭモデル４００の一部として梁パーツの変更パーツ６００が示されている。変更パーツ６００の元データとしての梁パーツは、例えば、操作者による入力部の操作によって入力された情報に基づいて昇降機モデリング部２０２ｂが作成する。また、変更パーツ６００は、例えば、操作者による入力部（不図示）の操作によって変更された梁パーツの情報に基づいて昇降機モデリング部２０２ｂが作成する。すなわち、昇降機モデリング部２０２ｂは、建築物のＢＩＭモデルの一部を作成する。なお、昇降機モデリング部２０２ｂは、建築物のＢＩＭモデル４００の全部を作成可能な情報が入力された場合には、建築物のＢＩＭモデル４００の全部を作成する。すなわち、昇降機モデリング部２０２ｂは、建築物のＢＩＭモデル４００の少なくとも一部を作成する。入力部は、例えば、キーボード、マウスなどを含む。また、この場合、サーバ装置２００は、各パーツおよびモデルを表示する表示部２１４（図１７参照）を備えるものとする。
【００５９】
次に、昇降機モデリング部２０２ｂが行う建築物のＢＩＭモデル４００の作成方法の別例を説明する。図１７は、第１の実施形態のＢＩＭシステムのデータの流れを説明するための説明図である。
【００６０】
図１７に示される例では、端末装置１００の作成用情報提供手段としての作成用情報提供部１０２ｄが、建築物のＢＩＭモデル４００の躯体パーツを作成するための作成用情報をデータベース７００に送信する。データベース７００は、サーバ装置２００と端末装置１００との一方に設けられていてもよいし、サーバ装置２００と端末装置１００とは異なる装置に設けられていてもよい。このとき、躯体パーツの作成用情報をデータベース７００に送信した旨の情報が、端末装置１００からサーバ装置２００に送信される。サーバ装置２００が上記情報を受信すると、サーバ装置２００の昇降機モデリング部２０２ｂは、データベース７００に格納された躯体パーツの作成用情報に基づいて、躯体パーツ４００ａを作成する。すなわち、端末装置１００の作成用情報提供部１０２ｄは、データベース７００を介して、建築物のＢＩＭモデル４００の躯体パーツを作成するための作成用情報をサーバ装置２００に提供する。ここで、データベース７００に格納される躯体パーツ４００ａは、端末装置１００において、操作者が入力部１１８を操作して選択する。そして、端末装置１００の作成用情報提供部１０２ｄは、選択された躯体パーツ４００ａの作成用情報をＢＩＭモデルデータベース１０６ａから得る（抽出する）。躯体パーツ４００ａの作成用情報の一例が図１８に示されている。
【００６１】
また、作成用情報提供部１０２ｄは、一度選択された躯体パーツの形状が変更された場合には、変更後の躯体パーツの作成用情報をデータベース７００を介してサーバ装置２００に提供する。このとき、躯体パーツの作成用情報が新たにデータベース７００に送信した旨の情報が、端末装置１００からサーバ装置２００に送信される。サーバ装置２００が上記情報を受信すると、サーバ装置２００の昇降機モデリング部２０２ｂが、データベース７００に格納された躯体パーツの作成用情報に基づいて、躯体パーツ４００ａを作成（更新）する。すなわち、昇降機モデリング部２０２ｂは、作成用情報提供部１０２ｄにより作成用情報が提供されるごとに、提供に送付された作成用情報に基づいて前記躯体のモデルを作成（更新）する。なお、上記処理は、ＢＩＭシステム１に組み込まれたアドオンツールによって実行されてもよい。
【００６２】
以上説明したように、第１の実施形態のＢＩＭシステム１では、昇降機モデリング部２０２ｂが、端末装置１００から送信される作成条件に対応する複数の社内用ＢＩＭパーツ（第１の前記ＢＩＭパーツ）を含んだ昇降機の社内用ＢＩＭモデル（第１のＢＩＭモデル）を、パーツ情報データベース２０６ａ（パーツ情報記憶手段）に記憶されたパーツ情報を用いて作成するとともに、社内用ＢＩＭパーツに対応する社外用ＢＩＭパーツ（第２の前記ＢＩＭパーツ）を含み社内用ＢＩＭに対応する昇降機の社外用ＢＩＭ（第２のＢＩＭモデル）を作成する。統合モデリング部１０２ｂ（統合モデリング手段）は、情報送信部２０２ｃ（送信手段）により送信された社外用ＢＩＭが、ＢＩＭモデルデータベース１０６ａ（ＢＩＭモデル記憶手段）に記憶されたＢＩＭモデルに組み込まれた状態の統合ＢＩＭモデル、を作成する。表示制御部１０２ｃ（表示制御手段）が、統合モデリング部１０２ｂにより作成された統合ＢＩＭモデルを表示部１１４に表示させる。複数の社内用ＢＩＭパーツ（第１のＢＩＭパーツ）は、属性情報を有し第１のファイル形式で表された第１の構成パーツと、色情報を有し前記第１のファイル形式で表された第２の構成パーツと、を含む。複数の社外用ＢＩＭパーツ（第２のＢＩＭパーツ）は、ファイル形式が前記第１のファイル形式から第２のファイル形式に変換されることにより属性情報が削除された第１の構成パーツと、第２の構成パーツに対応し、色情報を含み第２の構成パーツに対して形状が簡素化され第１のファイル形式で表された対応パーツと、を含み、第１のファイル形式で表される。
【００６３】
よって、本実施形態よれば、例えば、社外秘などの属性情報を削除しても第２の構成パーツ（社外用ＢＩＭモデル）に表示不良部が生じるのを抑制することができる。これにより、顧客が３次元形状や２次元形状のパースを作成することができる。また、顧客が第２の構成パーツの意匠の検討をすることができる。また、第１のファイル形式を、ＢＩＭモデルデータベース１０６ａ（ＢＩＭモデル記憶手段）に記憶されたＢＩＭモデルのファイル形式と同じにすることにより、顧客が社外用ＢＩＭモデルを利用しやすくすることができる。
【００６４】
また、複数の社外用ＢＩＭパーツは、昇降機の２次元形状を示す２Ｄパーツを含む。よって、端末装置１００の表示部１１４に２Ｄパーツを表示することができる。これにより、顧客が図面を作成することができる。
【００６５】
また、社外用ＢＩＭモデルは、当該社外用ＢＩＭモデルの基準位置と建築物のＢＩＭモデルの基準位置との位置関係を示す位置関係情報を含む。よって、端末装置１００にて社外用ＢＩＭモデルの基準位置と建築物のＢＩＭモデルの基準位置との位置関係を把握することができる。よって、端末装置１００にて社外用ＢＩＭモデルと建築物のＢＩＭモデルとの相対位置がずれるのを抑制することができる。
【００６６】
また、統合モデリング部１０２ｂは、上記位置関係情報に基づいて、情報送信部２０２ｃにより送信された社外用ＢＩＭモデルをＢＩＭモデルデータベース１０６ａに記憶されたＢＩＭモデルに組み込む。よって、社外用ＢＩＭモデルと建築物のＢＩＭモデルとの位置合わせが自動でなされる。端末装置１００にて社外用ＢＩＭモデルと建築物のＢＩＭモデルとの相対位置がずれるのを抑制することができる。
【００６７】
また、社外用ＢＩＭモデルは、建築物のＢＩＭモデルの一部であって当該一部を変更した変更パーツを含む。よって、端末装置１００にて、建築物のＢＩＭモデルの一部を変更パーツに更新することができる。これにより、製造機メーカは、変更パーツを作成することで、その変更パーツを顧客の建築物のＢＩＭモデルに反映することができる。また、昇降機の製造メーカは、建築物に要求する躯体の形状や大きさを変更パーツを用いて画像で顧客に伝えることができる。
【００６８】
また、統合モデリング部１０２ｂは、情報送信部２０２ｃにより社外用ＢＩＭモデルが送信されるごとに、統合ＢＩＭモデルに含まれる社外用ＢＩＭモデルを直近に送信された社外用ＢＩＭモデルに差し替える。よって、統合ＢＩＭを常に最新状態にすることができる。
【００６９】
また、昇降機モデリング部２０２ｂは、建築物のＢＩＭモデルの少なくとも一部を作成する。よって、サーバ装置において、建築物のＢＩＭモデル昇降機のＢＩＭモデルとの位置関係などを検討することができる。
【００７０】
また、端末装置１００は、建築物のＢＩＭモデルにおける建築物の躯体パーツを作成するための作成用情報を提供する作成用情報提供部１０２ｄ（作成用情報提供手段）を備える。昇降機モデリング部２０２ｂは、作成用情報提供部１０２ｄによって送信された作成用情報に基づいて建築物のＢＩＭモデルに含まれる躯体パーツを作成する。よって、サーバ装置において、建築物のＢＩＭモデル昇降機のＢＩＭモデルとの位置関係などを検討することができる。また、製造メーカの設計者が躯体パーツのモデリング作業をしなくて済む。
【００７１】
また、昇降機モデリング２０２ｂは、作成用情報提供部１０２ｄにより作成用情報が送信されるごとに、直近に送付された作成用情報に基づいて前記躯体のモデルを作成する。よって、サーバ装置２００の躯体パーツを最新の状態にすることができる。
【００７２】
（第２の実施形態）
次に、第２の実施形態（サーバ主導の機能分散型のＢＩＭシステム）について説明する。この第２の実施形態では、第１の実施形態と異なり、統合ＢＩＭモデルの作成などが、サーバ装置１２００側で行われる。以下では、第１の実施形態と共通する構成、作用、効果については、重複した説明はできるだけ省略する。
【００７３】
図１９は、第２の実施形態に係るＢＩＭシステム１の構成を示した例示的なブロック図である。図１０に示すように、第２の実施形態のＢＩＭシステム１は、端末装置１１００と、サーバ装置１２００と、を備える。端末装置１１００とサーバ装置１２００とは、ネットワーク９００を介して通信可能に接続されている。
【００７４】
端末装置１１００は、制御部１１０２と、記憶部１１０６と、を少なくとも備える。また、サーバ装置１２００は、制御部１２０２と、記憶部１２０６と、を少なくとも備える。
【００７５】
第２の実施形態では、第１の実施形態と異なり、統合ＢＩＭモデルを作成する統合モデリング部１２０２ｃが、サーバ装置１２００に設けられている。なお、統合ＢＩＭモデルの作成に必要なＢＩＭモデルは、端末装置１１００の記憶部１１０６のＢＩＭモデルデータベース１０６ａから予めサーバ装置１２００に転送され、サーバ装置１２００の記憶部１２０６に、ＢＩＭモデルファイル１２０６ｅとして予め一時的に記憶されているものとする。統合モデリング部１２０２ｃは、昇降機モデリング部２０２ｂにより作成された社外用ＢＩＭモデル３００Ｂが、ＢＩＭモデルファイル１２０６ｅに記憶されたＢＩＭモデル４００に組み込まれた状態の統合ＢＩＭモデル５００を作成する。
【００７６】
また、第２の実施形態では、表示制御部１２０２ｄが、サーバ装置１２００に設けられている。
【００７７】
サーバ装置１２００の表示制御部１２０２ｄは、統合ＢＩＭモデル５００を表示部１１４に表示させる。なお、表示制御部１２０２ｄは、第１の実施形態と同様に、端末装置１１００に設けられていてもよい。
【００７８】
以上の構成の第２の実施形態のＢＩＭシステム１においても、第１の実施形態のＢＩＭシステム１と同様に、よって、本実施形態よれば、例えば、社外秘などの属性情報を削除しても第２の構成パーツに表示不良部が生じるのを抑制することができる。
【００７９】
以上、本発明のいくつかの実施形態を説明したが、上述した実施形態はあくまで一例であって、発明の範囲を限定することは意図していない。上述した実施形態は、様々な形態で実施されることが可能であり、発明の要旨を逸脱しない範囲で、種々の省略、置き換え、変更を行うことができる。上述した実施形態およびその変形は、発明の範囲や要旨に含まれるとともに、特許請求の範囲に記載された発明とその均などの範囲に含まれる。
【００８０】
例えば、上述した実施形態は、昇降機としてエレベータの例について説明したが、エスカレータ、動く歩道などの乗客コンベアについても同様に適用できる。
【００８１】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００８２】
このほか、上述の説明で示した処理手順、制御手順、具体的名称、各処理の登録データや検索条件などのパラメータを含む情報、画面例、データベース構成については、特記する場合を除いて任意に変更することができる。
【００８３】
また、上述した実施形態の各装置に関して、図に例示した各構成要素は機能概念的なものであり、必ずしも物理的に図示の如く構成されていることを要しない。
【００８４】
例えば、実施形態の各装置が備える処理機能、特に制御部にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述するような記録媒体に記録されており、必要に応じてＣＰＵにより機械的に読み取られる。すなわち、ＲＯＭまたはＨＤＤなどの記憶部には、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００８５】
上記のコンピュータプログラムは、端末装置、サーバ装置、およびＢＩＭ装置に対して任意のネットワークを介して接続されたアプリケーションプログラムサーバに記憶されていてもよく、必要に応じてその全部または一部をダウンロードすることも可能である。
【００８６】
また、上記のコンピュータプログラムは、コンピュータ読み取り可能な記録媒体に格納されてもよく、また、コンピュータプログラムプロダクトとして構成することもできる。ここで、記録媒体とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃなどといった、任意の可搬用の物理媒体を含むものとする。
【００８７】
ここで、コンピュータプログラムとは、任意の言語や記述方法にて記述されたデータ処理方法であり、ソースコードやバイナリコードなどの形式を問わない。ここでいうコンピュータプログラムは、必ずしも単一的に構成されるものに限られず、複数のモジュールやライブラリとして分散構成されるものや、ＯＳに代表される別個のプログラムと協働してその機能を達成するものをも含む。なお、実施形態の各装置において記録媒体を読み取るための具体的な構成、読み取り手順、あるいは、読み取り後のインストール手順などについては、周知の構成や手順を用いることができる。
【００８８】
上述した実施形態の記憶部に格納される各種のデータベースは、各種処理やウェブサイト提供に用いる各種のプログラム、テーブル、データベース、および、ウェブページ用ファイルなどを格納可能な、ＲＡＭ、ＲＯＭなどのメモリ装置、ハードディスクなどの固定ディスク装置、フレキシブルディスク、および、光ディスクなどのストレージ手段であってもよい。
【００８９】
また、実施形態の各装置は、既知のパーソナルコンピュータ、ワークステーションなどの情報処理装置として構成してもよく、また、当該情報処理装置に任意の周辺装置を接続して構成してもよい。また、実施形態の各装置は、上記の情報処理装置に、対応する実施形態の方法を実現させるソフトウェア（コンピュータプログラムやデータなどを含む）を実装することにより実現してもよい。
【００９０】
さらに、実施形態の各機能の分散・統合の具体的形態は、図で例示したものに限られず、その全部または一部を、各種の付加などに応じて、または、機能負荷に応じて、任意の単位で機能的または物理的に分散・統合して構成することができる。すなわち、上述した実施形態は、任意に組み合わせて実施することも可能であるし、選択的に実施することも可能である。
【符号の説明】
【００９１】
１…ＢＩＭシステム、１００，１１００…端末装置、１０２，１１０２…制御部、１０２ｂ…統合モデリング部（統合モデリング手段）、１０２ｃ…表示制御部（表示制御手段）、１０６…記憶部、１０６ａ…ＢＩＭモデルデータベース（ＢＩＭモデル記憶手段）、１１４…表示部、２００…サーバ装置、２０２…制御部、２０２ｂ…昇降機モデリング部（昇降機モデリング手段）、２０２ｃ…情報送信部（送信手段）、２０６…記憶部、２０６ａ…パーツ情報データベース（パーツ情報記憶手段）、１２０２ｃ…統合モデリング部（統合モデリング手段）、１２０２ｄ…表示制御部（表示制御手段）。
【図１】
2020201604.tif 000003
【図２】
2020201604.tif 000004
【図３】
2020201604.tif 000005
【図４】
2020201604.tif 000006
【図５】
2020201604.tif 000007
【図６】
2020201604.tif 000008
【図７】
2020201604.tif 000009
【図８】
2020201604.tif 000010
【図９】
2020201604.tif 000011
【図１０】
2020201604.tif 000012
【図１１】
2020201604.tif 000013
【図１２】
2020201604.tif 000014
【図１３】
2020201604.tif 000015
【図１４】
2020201604.tif 000016
【図１５】
2020201604.tif 000017
【図１６】
2020201604.tif 000018
【図１７】
2020201604.tif 000019
【図１８】
2020201604.tif 000020
【図１９】
2020201604.tif 000021